(57)【特許請求の範囲】
【請求項１】
保護区域と非保護区域との境界に沿って立設した杭にペットボトルを固定して設け、このペットボトルに前記境界に沿って配索した裸電線又は絶縁薄膜塗布電線を保持させて設け、この裸電線又は絶縁薄膜塗布電線に高電圧を印加する電源装置をペットボトル内に配設したことを特徴とする電気柵。
【請求項２】
前記ペットボトルは、前記境界に沿って立設した杭に飲み口が斜め下方に指向するように貫通させて固定して設けたことを特徴とする請求項１に記載の電気柵。
【請求項３】
前記ペットボトルは、前記境界に沿って立設した杭に飲み口が垂直上方に指向するように並列させて固定して設けたことを特徴とする請求項１に記載の電気柵。
【発明の詳細な説明】
【０００１】
【発明の属する技術分野】
この発明は電気柵に係り、特に、保護区域と非保護区域との間の動物の行き来を阻止し得て、低コストに施工し得る電気柵に関するものである。
【０００２】
【従来の技術】
近時は、田畑の作物を家畜や野生動物から保護し、あるいは、牧場からの家畜の離散を防止するために、保護区域である田畑や牧場とこれらの周囲の非保護区域との境界に電気柵を施工することが行われている。
【０００３】
電気柵は、保護区域と非保護区域との境界に沿って杭を立設し、この杭に境界に沿って配索した導電部材である裸電線を保持させ、この裸電線に電源装置により高電圧を印加する。家畜や野生動物は、電気柵の裸電線に接触すると、電源装置の印加する高電圧の電流が体内を通り地面に流れて、電気的ショックを受ける。これにより、電気柵は、保護区域と非保護区域との間に動物が行き来することを阻止する。
【０００４】
【発明が解決しようとする課題】
ところで、従来の電気柵は、保護区域と非保護区域との境界に沿って立設した杭に裸電線を保持させるために、碍子を利用している。
【０００５】
ところが、碍子は、単価が高く、破損し易い問題がある。また、碍子を杭に固定するためには、杭にボルト挿通孔を形成する必要があるとともにフックボルト等の専用の固定具を必要とする問題がある。このため、碍子を利用して杭に裸電線を保持させた電気柵は、コストの上昇を招く不都合がある。
【０００６】
また、裸電線に高電圧を印加する電源装置は、電源であるバッテリや高電圧を発生するための発振器、トランス等から構成されるが、田畑や牧場等の野外に設置されるものであるため、雨等による水濡れから保護し得る耐水構造の外殻を設ける必要がある。このため、電源装置は、構造の大型化や複雑化を招く不都合がある。
【０００７】
【課題を解決するための手段】
そこで、この発明は、上述不都合を除去するために、保護区域と非保護区域との境界に沿って立設した杭にペットボトルを固定して設け、このペットボトルに前記境界に沿って配索した裸電線又は絶縁薄膜塗布電線を保持させて設け、この裸電線又は絶縁薄膜塗布電線に高電圧を印加する電源装置をペットボトル内に配設したことを特徴とする。
【０００８】
【発明の実施の形態】
この発明の電気柵は、保護区域と非保護区域との境界に沿って立設した杭にペットボトルを固定して設け、このペットボトルに境界に沿って配索した裸電線又は絶縁薄膜塗布電線を保持させて設けていることにより、碍子や碍子専用の固定具を必要とせずに裸電線又は絶縁薄膜塗布電線を配索することができ、また、裸電線又は絶縁薄膜塗布電線に高電圧を印加する電源装置をペットボトル内に配設したことにより、電源装置を簡易に耐水構造とすることができ、耐水構造の外殻を不要にすることができる。
【０００９】
【実施例】
以下図面に基づいて、この発明の実施例を説明する。図１〜図４は、この発明の第１実施例を示すものである。図１において、２は田畑や牧場等の保護区域、４は保護区域に対して区画される山などの非保護区域、６は境界、８は地面、１０は電気柵である。第１実施例の電気柵１０は、保護区域２と非保護区域４との境界６に沿い、けものみち４Ｂを遮断するように、けものみち４Ｂと交差する方向に直線状に施工して設けている。
【００１０】
電気柵１０は、保護区域２と非保護区域４との境界６に沿って複数本の杭１２を略等間隔に直線状に並べて地面８に立設し、これら杭１２にペット（ＰＥＴ：ポリエチレン・テレフタレート）ボトル１４を固定して設けている。ペットボトル１４は、図２に示す如く、本体１６と蓋体１８とから構成され、筒部２０と底部２２と飲み口部２４とから形成される本体１６の飲み口２４に蓋体１８を着脱可能に螺着して設けている。
【００１１】
ペットボトル１４は、杭１２に飲み口部２４が斜め下方に指向するように筒部２０を貫通させて固定して設けている。長手方向両端の各杭１２には、夫々１個のペットボトル１４を固定して設けている。長手方向中間部位の各杭１２には、夫々２個のペットボトル１４を上下に離間して固定し設けている。
【００１２】
杭１２に固定されたペットボトル１４には、境界６に沿って配索した索状の導電部材である裸電線又は絶縁薄膜塗布電線を、小径の飲み口部２４に巻掛けて保持させ、あるいは適宜の結束手段（図示せず）により飲み口部２４に結束して保持させて設けている。第１実施例においては、長手方向中間部位の各杭１２の２個のペットボトル１４に夫々１本の裸電線２６を平行に保持させて設けるとともに、これら平行な２本の裸電線２６の両端を長手方向両端の各杭１２の１個のペットボトル１４に集合して保持させて設けている。
【００１３】
電気柵１０は、２本の裸電線２６に高電圧を印加する電源装置２８を保護区域２設けている。この電源装置２８は、図３に示す如く、電源部３０と制御部３２と高電圧部３４とから構成される。前記電源部３０は、バッテリ等の化学電池からなり、低電圧（例えば、１２Ｖ）の直流を発生する。前記制御部３２は、制御回路等からなり、高電圧の印加時期や印加時間等を制御する。高電圧部３４は、発振回路や昇圧回路（トランス）、整流回路等からなり、前記電源部３０の発生する低電圧の直流を高電圧（例えば、８０００〜１００００Ｖで１００μＡ）に昇圧して裸電線２６に印加する。
【００１４】
電源装置２８は、電源部３０と制御部３２とを電源線３６により接続して設け、制御部３２と高電圧部３４とを制御線３８により接続して設け、高電圧部３４を出力線４０により夫々２本の裸電線２６に接続して設けるとともに、アース線４２により地面８に接地して設けている。
【００１５】
電源装置２８は、図４に示す如く、電源部３０と制御部３２と高電圧部３４との少なくとも一部をペットボトル１４内に配設している。
【００１６】
電源装置２８は、地面８に立設した２本の杭１０の各先端に夫々飲み口部２４から挿入してペットボトル１４を上下逆に外装し、各ペットボトル１４の底部２２に電源部３０と高電圧部３４とを夫々載置し、これら電源部３０と高電圧部３４とを夫々覆うように筒部２０で切断したペットボトル１４を上下逆にして、杭１０に上下逆に外装したペットボトル１４の底部２２側に外嵌して設けている。
【００１７】
また、電源装置２８は、地面８に２個のペットボトル１４を並設して密閉容器４４の容器本体４６を載置し、この容器本体４６内に制御部３２を載置して容器蓋体４８により密閉封鎖している。
【００１８】
次に作用を説明する。
【００１９】
電気柵１０は、保護区域２と非保護区域４との境界６に沿い、けものみち４Ｂを遮断するように直線状に施工して設け、電源装置２８により２本の裸電線２６に高電圧を印加している。
【００２０】
非保護区域４のけものみち４Ｂを歩いてきた野生動物は、保護区域２に立ち入ろうとして境界６に敷設された電気柵１０の２本の裸電線２６のいずれかに接触すると、高電圧の電流が野生動物の体内を通り地面８に流れて、電気的ショックを受ける。また、保護区域２内の家畜は、非保護区域２に出ようとして２本の裸電線２６のいずれかに接触すると、高電圧の電流が家畜の体内を通り地面８に流れて、電気的ショックを受ける。
【００２１】
これにより、野生動物や家畜は、電気柵１０に近づくことが無くなる。このため、電気柵１０は、保護区域２と非保護区域４との間に動物が行き来することを阻止することができる。
【００２２】
この電気柵１０は、保護区域２と非保護区域４との境界６に沿って立設した杭１２にペットボトル１４を固定して設け、このペットボトル１４に境界６に沿って配索した導電部材である裸電線２６を保持させて設けていることにより、碍子や碍子専用の固定具を必要とせずに裸電線２６を配索することができる。このため、この電気柵１０は、碍子や碍子専用の固定具を必要とないことから、低コストに施工することができる。
【００２３】
この電気柵１０は、裸電線２６に高電圧を印加する電源装置２８をペットボトル１４内に配設したことにより、電源装置２８を簡易に耐水構造とすることができ、耐水構造の外殻を不要にすることができる。このため、この電気柵１０は、電源装置２８に耐水構造の外殻を必要としないことから、電源装置２８の小型化・簡素化を図ることができ、コストの低減に寄与し得る。
【００２４】
また、この電気柵１０は、電源装置２８の制御部３２によって、高電圧の印加時期や印加時期等を制御することができる。このため、この電気柵１０は、例えば、野生動物の行動時間に合わせて、夜間や早朝、昼間、夕刻等の時刻や時間を指定することにより、適切な時期に高電圧を裸電線２６に印加することができ、動物の行き来を適切に阻止することができるとともに、電源部３０の消耗を抑えることができる。
【００２５】
さらに、電気柵１０は、境界６に沿って２本の裸電線２６を配索し、これら２本の裸電線２６に電源装置２８の制御部３２によって同じ値の高電圧を印加することにより、一方の裸電線２６が断線して状況においても、他方の裸電線２６によって接触する動物に電気ショックを与えることができ、機能を確保することができる。
【００２６】
さらにまた、電気柵１０は、境界６に沿って２本の裸電線２６を配索し、これら２本の裸電線２６に電源装置２８の制御部３２によって異なる値の高電圧を印加することにより、接触する動物に対して強弱２段階の電気ショックを与えることができ、電気柵１０への接近忌避の効果を高めることができる。
【００２７】
図５・図６は、第２実施例を示すものである。第２実施例の電気柵１０は、図５に示す如く、田畑等の保護区域２とこの保護区域２周囲の非保護区域４との境界６に沿い、保護区域２を囲むように四角枠状に施工して設けている。
【００２８】
電気柵１０は、保護区域２と非保護区域４との境界６に沿って複数本の杭１２を略等間隔に四角枠に並べて地面８に立設し、これら杭１２にペットボトル１４を固定して設けている。ペットボトル１４は、図６に示す如く、本体１６と蓋体１８とから構成され、筒部２０と底部２２と飲み口部２４とから形成される本体１６の飲み口２４に蓋体１８を着脱可能に螺着して設けている。
【００２９】
ペットボトル１４は、杭１２に飲み口部２４が垂直上方に指向するように並列させて索体５０により結束して固定して設けている。各杭１２には、夫々１個のペットボトル１４を固定して設けている。杭１２に固定されたペットボトル１４には、境界６に沿って保護区域２を囲むように配索した導電部材である裸電線２６を、小径の飲み口部２４に巻掛けて保持させ、あるいは適宜の結束手段（図示せず）により飲み口部２４に結束して保持させて設けている。
【００３０】
この電気柵１０は、２本の裸電線２６に高電圧を印加する電源装置２８を保護区域２に設けている。この電源装置２８は、前述第１実施例と同様に、電源部３０と制御部３２と高電圧部３４とから構成され、電源線３６と制御線３８と出力線４０とアース線４２と設け、電源部３０と制御部３２と高電圧部３４との少なくとも一部をペットボトル１４内に配設している（図３・図４参照）。
【００３１】
このように、第２実施例の電気柵１０は、保護区域２と非保護区域４との境界６に沿い、保護区域２を囲むように配索した裸電線２６に電源装置２８により高電圧を印加していることにより、野生動物や家畜が電気柵１０に近づくことを無くすことができ、保護区域２と非保護区域４との間に動物が行き来することを阻止することができる。
【００３２】
この電気柵１０は、保護区域２を囲むように立設した杭１２にペットボトル１４を固定して設け、このペットボトル１４に境界６に沿って配索した裸電線２６を保持させて設け、また、裸電線２６に高電圧を印加する電源装置２８をペットボトル１４内に配設したことにより、前述第１実施例と同様に、碍子や碍子専用の固定具を必要とないことから、低コストに施工することができ、また、電源装置２８に耐水構造の外殻を必要としないことから、電源装置２８の小型化・簡素化を図ることができ、コストの低減に寄与し得る。
【００３３】
なお、この電気柵１０は、上述実施例に限定されることなく、種々応用改変が可能である。例えば、第１・第２実施例においては、動物に電気的ショックを与える索状の導電部材として裸電線２６を例示したが、絶縁薄膜塗布電線とすることもでき、また、第２実施例においては、杭１２に飲み口部２４が垂直上方に指向するように並列させてペットボトル１４を固定したが、杭１２に飲み口部２４が垂直下方に指向するように並列させてペットボトル１４を固定することもできる。
【００３４】
また、ペットボトル１４は、図７に示す如く、筒部２０を底部２２側で切断し、下段のペットボトル１４の飲み口部２４側に上段のペットボトル１４の切断した筒部２０を外嵌して上方向に順次に連結して設けることにより、杭１２として機能させることができ、杭１２を不要にすることができる。
【００３５】
さらに、ペットボトル１４は、図８に示す如く、長手方向を上下方向に指向させるとともに水平方向に並列させて筒部２０を連結して設けることにより、地面８に安定して設置することができる。
【００３６】
さらにまた、ペットボトル１４は、図９に示す如く、一方のペットボトル１４の筒部２０の底部２２側に他方のペットボトル１４の底部２２側で切断した筒部２０を外嵌して直線状に連結するとともに、この直線状に連結した２つのペットボトル１４の一対を十字形になるように交差させて連結して設け、この十字形に連結したペットボトル１４の交差する部分に裸電線２６を貫通して保持させ、あるいは捲回して保持させることにより、地面８に対してペットボトル１４が回転しても、裸電線２６が地面８に接触することがなく、高電圧が地絡することを防止することができる。
【００３７】
【発明の効果】
この発明の電気柵は、碍子や碍子専用の固定具を必要とせずに導電部材である裸電線又は絶縁薄膜塗布電線を配索することができ、また、電源装置を簡易に耐水構造とすることができ、耐水構造の外殻を不要にすることができる。
【００３８】
このため、この電気柵は、碍子や碍子専用の固定具を必要とないことから、低コストに実現し得て、また、電源装置に耐水構造の外殻を必要としないことから、電源装置の小型化・簡素化を図ることができ、コストの低減に寄与し得る。
【図面の簡単な説明】
【図１】この発明の第１実施例を示す電気柵の施工状態を示す斜視図である。
【図２】ペットボトルを固定した杭の拡大斜視図である。
【図３】電源装置のブロック図である。
【図４】電源装置の拡大斜視図である。
【図５】第２実施例を示す電気柵の施工状態を示す斜視図である。
【図６】ペットボトルを固定した杭の拡大斜視図である。
【図７】ペットボトルを上下方向に連結した状態を示す拡大斜視図である。
【図８】ペットボトルを水平方向に連結した状態を示す拡大斜視図である。
【図９】ペットボトルを十字形になるように交差させて連結した状態を示す拡大斜視図である。
【符号の説明】
２  保護区域
４  非保護区域
６  境界
８  地面
１０  電気柵
１２  杭
１４  ペットボトル
２６  裸電線
２８  電源装置
３０  電源部
３２  制御部
３４  高電圧部
【図１】
0003832630.tif 000002
【図２】
0003832630.tif 000003
【図３】
0003832630.tif 000004
【図４】
0003832630.tif 000005
【図５】
0003832630.tif 000006
【図６】
0003832630.tif 000007
【図７】
0003832630.tif 000008
【図８】
0003832630.tif 000009
【図９】
0003832630.tif 000010